【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
第１の骨部分を第２の骨部分に接続する固定デバイスと共に用いられる整形外科ネジであって、
該固定デバイスは、該第１の骨部分を該第２の骨部分に連結する本体を含み、該本体は、自身を通って延在する複数の穴を有し、
該ネジは、該本体を通って延在する該穴のうちの少なくとも１つを通して挿入可能であり、該ネジは、
遠位端と、反対に配置された近位端とを有するシャフトと、
該シャフトの少なくとも第１の部分に沿って延在する外部らせん状ネジ山と、
該シャフトの該近位端に取り付けられたヘッドと、
該シャフトの第２の部分を包囲して設置された生体再吸収性材料の層と
を備え、
該生体再吸収性材料の層は、最初に該本体に対して所望の角度位置で該ネジを固定するように該本体と係合可能な外面を有し、該ネジは、該生体再吸収性層の少なくとも一部分の再吸収時に、該本体に対して角度的に移動可能である、ネジ。
【請求項２】
前記生体再吸収性材料の層の前記外面は、実質的に平滑な表面を備える、請求項１に記載のネジ。
【請求項３】
前記生体再吸収性材料の層の前記外面は、縦方向に一定の外径を有する円柱表面を備える、請求項２に記載のネジ。
【請求項４】
前記生体再吸収性材料の層の前記外面は、前記ヘッドに対する遠位の点におけるよりも該ヘッドに隣接する点において、より大きい外径を有する円錐表面を備える、請求項２に記載のネジ。
【請求項５】
前記生体再吸収性材料の層の前記外面は、球面を備える、請求項２に記載のネジ。
【請求項６】
前記生体再吸収性材料の層の前記外面に沿って延在する第２の外部らせん状ネジ山をさらに備える、請求項１に記載のネジ。
【請求項７】
前記シャフトの前記第２の部分は、前記ヘッドに隣接して位置する、請求項１に記載のネジ。
【請求項８】
前記シャフトの前記第２の部分は、前記ヘッドから離れる方向に離間した関係で位置する、請求項１に記載のネジ。
【請求項９】
前記生体再吸収性材料の層の前記外面は、縦方向に一定の外径を有する円柱表面を備える、請求項６に記載のネジ。
【請求項１０】
前記生体再吸収性材料の層の前記外面は、前記ヘッドに対する遠位の点におけるよりも該ヘッドに隣接する点において、より大きい外径を有する円錐表面を備える、請求項６に記載のネジ。
【請求項１１】
前記生体再吸収性材料の層の前記外面は、球面を備える、請求項６に記載のネジ。
【請求項１２】
前記シャフトの前記遠位端上に設置された切削縦溝をさらに備える、請求項１に記載のネジ。
【請求項１３】
前記ネジは、カニューレ状である、請求項１に記載のネジ。
【請求項１４】
前記シャフトの前記第２の部分は、自身に沿って縦方向に延在する外部らせん状ネジ山を有する、請求項１に記載のネジ。
【請求項１５】
前記シャフトの前記第２の部分は、自身から半径方向外向きに突出する複数のリブを有する、請求項１に記載のネジ。
【請求項１６】
前記リブは、前記シャフトに沿って縦方向に延在する、請求項１５に記載のネジ。
【請求項１７】
前記リブは、前記シャフトの周囲に円周方向に延在する、請求項１５に記載のネジ。
【請求項１８】
前記リブは、前記シャフトの周囲にらせん状に延在する、請求項１５に記載のネジ。
【請求項１９】
前記シャフトの前記第２の部分は、自身の中に複数のチャネルを有する、請求項１に記載のネジ。
【請求項２０】
前記チャネルは、前記シャフトに沿って縦方向に延在する、請求項１９に記載のネジ。
【請求項２１】
前記チャネルは、前記シャフトの周囲に円周方向に延在する、請求項１９に記載のネジ。
【請求項２２】
前記チャネルは、前記シャフトの周囲にらせん状パターンで配設されている、請求項２１に記載のネジ。
【請求項２３】
前記シャフトの前記第２の部分は、きざみが付けられている、請求項１に記載のネジ。
【請求項２４】
前記シャフトの前記第２の部分は、きめの粗い表面を有する、請求項１に記載のネジ。
【請求項２５】
前記きめの粗い表面は、粉末金属コーティングを備える、請求項２４に記載のネジ。
【請求項２６】
前記きめの粗い表面は、サンドブラスト表面を備える、請求項２４に記載のネジ。
【請求項２７】
前記シャフトの前記第２の部分は、非円形断面を有する、請求項１に記載のネジ。
【請求項２８】
前記非円形断面は、卵形である、請求項２７に記載のネジ。
【請求項２９】
前記非円形断面は、多角形である、請求項２７に記載のネジ。
【請求項３０】
前記シャフトの前記第２の部分は、円錐外面を有し、該円錐外面は、前記ヘッドに対する遠位の位置におけるよりも、該ヘッドに隣接する位置において、より小さい直径を有する、請求項１に記載のネジ。
【請求項３１】
前記生体再吸収性材料は、ポリ乳酸（ＰＬＡ）、ポリ−Ｌ−乳酸−ｃｏ−グリコール酸（ＰＬＧＡ）、ポリグリコール酸を伴うか、または伴わないポリ−Ｄ／Ｌ−乳酸（ＰＤＬＬＡ、ＰＤＬＬＡ−ｃｏ−ＰＧＡ）、β−リン酸三カルシウムを伴うか、または伴わないポリ−Ｌ−乳酸（ＰＬＬＡ、ＰＬＬＡ−ＴＣＰ）、ヒドロキシアパタイトを伴うポリ−Ｌ−乳酸（ＰＬＬＡ−ＨＡ）、ポリカプロラクトン（ＰＣＬ）、ポリカプロラクトン−リン酸カルシウム（ＰＣＬ−ＣａＰ）、ポリ（Ｌ−ラクチド−ｃｏ−Ｄ、Ｌ−ラクチド）（ＰＬＡＤＬＡ）、ヒドロキシアパタイト（ＨＡ）、リン酸三カルシウム（β−ＴＣＰ）、ナノダイヤモンド粒子（ＮＤ）、およびそれらの組み合わせから成る群より選択される、請求項１に記載のネジ。
【請求項３２】
前記生体再吸収性材料は、体液と接触すると拡張する、請求項１に記載のネジ。
【請求項３３】
前記生体再吸収性材料は、共重合体乳酸グリコール酸、生物分解性自己拡張型ポリ−Ｌ，Ｄ−ラクチド、ＰＤＬＬＡ（Ｄ−ラクチドと、Ｌ−ラクチドと、ポリ−Ｌ−ラクチドと、ポリ−ε−カプロラクトンホモポリマーと、メタクリル酸メチルおよびアクリル酸と、架橋剤メタクリル酸アリルとを含む）、ならびにそれらの組み合わせから成る群より選択される、請求項３２に記載のネジ。
【請求項３４】
前記本体と組み合わせた請求項１に記載のネジであって、該本体は、骨プレート、股関節ネジ、および髄内ロッドから成る群より選択される、ネジ。
【手続補正２】
【補正対象書類名】明細書
【補正対象項目名】００２１
【補正方法】変更
【補正の内容】
【００２１】
本発明はまた、複数の骨片を有する生体における骨折を治療する方法も包含する。該方法は、
本体を骨片に接合する複数の締結具を使用して、本体を骨片のうちの２つに取り付けるステップと、
締結具と本体との間に設置される生体再吸収性材料を使用して、本体と関連する締結具のうちの少なくとも１つの角度配向を固定するステップであって、生体再吸収性材料は、１つの締結具を本体に接触させ、その間の相対的回転を防止する、ステップと、
生体再吸収性材料が生体により再吸収されることを可能にし、それによって、１つの締結具と本体との間の相対的回転を可能にするステップとを含む。
例えば、本発明は以下の項目を提供する。
（項目１）
第１の骨部分を第２の骨部分に接続する整形外科固定デバイスであって、該デバイスは、
該第１の骨部分を該第２の骨部分に連結する本体であって、該本体は自身を通って延在する複数の穴を有する、本体と、
該本体を通って延在する該穴のうちの少なくとも１つを通して挿入可能なネジであって、該ネジは、
遠位端と、反対に配置された近位端とを有するシャフトと、
該シャフトの少なくとも第１の部分に沿って延在する外部らせん状ネジ山と、
該シャフトの該近位端に取り付けられるヘッドと、
該シャフトの第２の部分を包囲して設置される生体再吸収性材料の層と
を備え、該生体再吸収性材料の層は、最初に該本体に対して所望の角度位置で該ネジを固定するように該本体と係合可能な外面を有し、該ネジは、該生体再吸収性層の少なくとも一部分の再吸収時に、該本体に対して角度的に移動可能である、ネジと
を備える、デバイス。
（項目２）
前記生体再吸収性材料の層の前記外面は、実質的に平滑な表面を備える、項目１に記載のデバイス。
（項目３）
前記生体再吸収性材料の層の前記外面は、縦方向に一定の外径を有する円柱表面を備える、項目２に記載のデバイス。
（項目４）
前記生体再吸収性材料の層の前記外面は、前記ヘッドに対する遠位の点におけるよりも該ヘッドに隣接する点において、より大きい外径を有する円錐表面を備える、項目２に記載のデバイス。
（項目５）
前記生体再吸収性材料の層の前記外面は、球面を備える、項目２に記載のデバイス。
（項目６）
前記生体再吸収性材料の層の前記外面に沿って延在する第２の外部らせん状ネジ山をさらに備える、項目１に記載のデバイス。
（項目７）
前記シャフトの前記第２の部分は、前記ヘッドに隣接して位置する、項目１に記載のデバイス。
（項目８）
前記シャフトの前記第２の部分は、前記ヘッドから離れる方向に離間した関係で位置する、項目１に記載のデバイス。
（項目９）
前記生体再吸収性材料の層の前記外面は、縦方向に一定の外径を有する円柱表面を備える、項目６に記載のデバイス。
（項目１０）
前記生体再吸収性材料の層の前記外面は、前記ヘッドに対する遠位の点におけるよりも該ヘッドに隣接する点において、より大きい外径を有する円錐表面を備える、項目６に記載のデバイス。
（項目１１）
前記生体再吸収性材料の層の前記外面は、球面を備える、項目６に記載のデバイス。
（項目１２）
前記シャフトの前記遠位端上に設置される切削縦溝をさらに備える、項目１に記載のデバイス。
（項目１３）
前記ネジは、カニューレ状である、項目１に記載のデバイス。
（項目１４）
前記シャフトの前記第２の部分は、自身に沿って縦方向に延在する外部らせん状ネジ山を有する、項目１に記載のデバイス。
（項目１５）
前記シャフトの前記第２の部分は、自身から半径方向外向きに突出する複数のリブを有する、項目１に記載のデバイス。
（項目１６）
前記リブは、前記シャフトに沿って縦方向に延在する、項目１５に記載のデバイス。
（項目１７）
前記リブは、前記シャフトの周囲に円周方向に延在する、項目１５に記載のデバイス。
（項目１８）
前記リブは、前記シャフトの周囲にらせん状に延在する、項目１５に記載のデバイス。
（項目１９）
前記シャフトの前記第２の部分は、自身の中に複数のチャネルを有する、項目１に記載のデバイス。
（項目２０）
前記チャネルは、前記シャフトに沿って縦方向に延在する、項目１９に記載のデバイス。
（項目２１）
前記チャネルは、前記シャフトの周囲に円周方向に延在する、項目１９に記載のデバイス。
（項目２２）
前記チャネルは、前記シャフトの周囲にらせん状パターンで配設される、項目２１に記載のデバイス。
（項目２３）
前記シャフトの前記第２の部分は、きざみが付けられている、項目１に記載のデバイス。
（項目２４）
前記シャフトの前記第２の部分は、きめの粗い表面を有する、項目１に記載のデバイス。
（項目２５）
前記きめの粗い表面は、粉末金属コーティングを備える、項目２４に記載のデバイス。
（項目２６）
前記きめの粗い表面は、サンドブラスト表面を備える、項目２４に記載のデバイス。
（項目２７）
前記シャフトの前記第２の部分は、非円形断面を有する、項目１に記載のデバイス。
（項目２８）
前記非円形断面は、卵形である、項目２７に記載のデバイス。
（項目２９）
前記非円形断面は、多角形である、項目２７に記載のデバイス。
（項目３０）
前記シャフトの前記第２の部分は、円錐外面を有し、該円錐外面は、前記ヘッドに対する遠位の位置におけるよりも、該ヘッドに隣接する位置において、より小さい直径を有する、項目１に記載のデバイス。
（項目３１）
前記穴のうちの少なくとも１つを包囲する皿穴表面をさらに備える、項目１に記載のデバイス。
（項目３２）
前記皿穴表面は、円錐形である、項目３１に記載のデバイス。
（項目３３）
前記皿穴表面は、球形である、項目３１に記載のデバイス。
（項目３４）
前記穴のうちの少なくとも１つを包囲するアンダーカット表面をさらに備える、項目３１に記載のデバイス。
（項目３５）
前記アンダーカット表面は、円錐形である、項目３４に記載のデバイス。
（項目３６）
前記アンダーカット表面は、球形である、項目３５に記載のデバイス。
（項目３７）
前記穴のうちの少なくとも１つの内側に設置されるネジ山切削刃をさらに備える、項目２に記載のデバイス。
（項目３８）
前記穴のうちの少なくとも１つの内側に位置する内部らせん状ネジ山をさらに備え、該内部らせん状ネジ山は、前記生体再吸収性材料の層の前記外面に沿って延在する前記第２の外部らせん状ネジ山に適合する、項目６に記載のデバイス。
（項目３９）
前記穴のうちの少なくとも１つは、円形の周囲を有する、項目１に記載のデバイス。
（項目４０）
前記穴のうちの少なくとも１つは、非円形の周囲を有する、項目１に記載のデバイス。
（項目４１）
前記少なくとも１つの穴は、卵形の周囲を有する、項目４０に記載のデバイス。
（項目４２）
前記少なくとも１つの穴は、楕円形の周囲を有する、項目４０に記載のデバイス。
（項目４３）
前記本体は、骨プレート、股関節ネジ、および髄内ロッドから成る群より選択される、項目１に記載のデバイス。
（項目４４）
前記生体再吸収性材料は、ポリ乳酸（ＰＬＡ）、ポリ−Ｌ−乳酸−ｃｏ−グリコール酸（ＰＬＧＡ）、ポリグリコール酸を伴うか、または伴わないポリ−Ｄ／Ｌ−乳酸（ＰＤＬＬＡ、ＰＤＬＬＡ−ｃｏ−ＰＧＡ）、β−リン酸三カルシウムを伴うか、または伴わないポリ−Ｌ−乳酸（ＰＬＬＡ、ＰＬＬＡ−ＴＣＰ）、ヒドロキシアパタイトを伴うポリ−Ｌ−乳酸（ＰＬＬＡ−ＨＡ）、ポリカプロラクトン（ＰＣＬ）、ポリカプロラクトン−リン酸カルシウム（ＰＣＬ−ＣａＰ）、ポリ（Ｌ−ラクチド−ｃｏ−Ｄ、Ｌ−ラクチド）（ＰＬＡＤＬＡ）、ヒドロキシアパタイト（ＨＡ）、リン酸三カルシウム（β−ＴＣＰ）、ナノダイヤモンド粒子（ＮＤ）、およびそれらの組み合わせから成る群より選択される、項目１に記載のデバイス。
（項目４５）
前記生体再吸収性材料は、体液と接触すると拡張する、項目１に記載のデバイス。
（項目４６）
前記生体再吸収性材料は、共重合体乳酸グリコール酸、生物分解性自己拡張型ポリ−Ｌ，Ｄ−ラクチド、ＰＤＬＬＡ（Ｄ−ラクチドと、Ｌ−ラクチドと、ポリ−Ｌ−ラクチドと、ポリ−ε−カプロラクトンホモポリマーと、メタクリル酸メチルおよびアクリル酸と、架橋剤メタクリル酸アリルとを含む）、ならびにそれらの組み合わせから成る群より選択される、項目４５に記載のデバイス。
（項目４７）
前記本体は、骨接触表面と、該骨接触表面の反対側に配設される前面と、該骨接触表面と該前面との間に延在する側面とを備え、
少なくとも１つのチャネルが、該前面および該骨接触表面のうちの少なくとも１つの内側に設置され、前記穴のうちの１つから該側面まで延在する、項目１に記載のデバイス。
（項目４８）
前記チャネルは、凹面を備える、項目４７に記載のデバイス。
（項目４９）
前記チャネルは、円柱表面、円錐表面、球面、台形表面、Ｖ字形表面、およびＵ字形表面から成る群より選択される表面を有する、項目４７に記載のデバイス。
（項目５０）
前記チャネルは、前記側面において、前記１つの穴における該チャネルの幅よりも広い幅を有する、項目４７に記載のデバイス。
（項目５１）
複数の前記チャネルをさらに備え、各チャネルは、前記穴のうちの１つから前記側面まで延在する、項目４７に記載のデバイス。
（項目５２）
第１の骨部分を第２の骨部分に接続する整形外科固定デバイスであって、該デバイスは、
該第１の骨部分を該第２の骨部分に連結する本体であって、該本体は、自身を通って延在する複数の穴と、該穴のうちの少なくとも１つの内側で該本体の上に設置される生体再吸収性材料の層とを有する、本体と、
該少なくとも１つの穴を通して挿入可能なネジであって、該ネジは、
遠位端と、反対に配置された近位端とを有するシャフトと、
該シャフトの少なくとも第１の部分に沿って延在する外部らせん状ネジ山と、
該シャフトの該近位端に取り付けられるヘッドと、
最初に該本体に対して所望の角度位置で該ネジを固定するように該生体再吸収性層と係合可能である、該シャフトの第２の部分とを備え、該ネジは、該生体再吸収性層の少なくとも一部分の再吸収時に、該本体に対して角度的に移動可能である、ネジと
を備える、デバイス。
（項目５３）
前記生体再吸収性材料の層は、前記穴を包囲する内向きに対向する表面を有する弁輪を備える、項目５２に記載のデバイス。
（項目５４）
前記内向きに対向する表面は、実質的に平滑である、項目５３に記載のデバイス。
（項目５５）
前記シャフトは、自身の上にネジ山切削刃を有し、該ネジ山切削刃は、らせん状ネジ山を前記生体再吸収性材料の層に切削する、項目５４に記載のデバイス。
（項目５６）
前記内向きに対向する表面は、内部らせん状ネジ山を有する、項目５３に記載のデバイス。
（項目５７）
前記シャフトの前記第２の部分は、前記内向きに対向する表面上の前記内部らせん状ネジ山と適合する第２の外部らせん状ネジ山を有する、項目５６に記載のデバイス。
（項目５８）
前記内向きに対向する表面は、縦方向に一定の内径を有する円柱表面を備える、項目５３に記載のデバイス。
（項目５９）
前記内向きに対向する表面は、円錐表面を備える、項目５３に記載のデバイス。
（項目６０）
前記内向きに対向する表面は、球面を有する、項目５３に記載のデバイス。
（項目６１）
前記１つの穴を包囲する皿穴表面をさらに備える、項目５３に記載のデバイス。
（項目６２）
前記皿穴表面は、円錐形である、項目６１に記載のデバイス。
（項目６３）
前記皿穴表面は、球形である、項目６１に記載のデバイス。
（項目６４）
前記１つの穴を包囲するアンダーカット表面をさらに備え、該アンダーカット表面は、前記皿穴表面の反対側に設置される、項目６１に記載のデバイス。
（項目６５）
前記アンダーカット表面は、円錐形である、項目６４に記載のデバイス。
（項目６６）
前記アンダーカット表面は、球形である、項目６４に記載のデバイス。
（項目６７）
前記ネジは、前記シャフトの第２の部分を包囲して設置される生体再吸収性材料の層をさらに備え、該シャフト上の該生体再吸収性材料の該層は、最初に該本体に対して所望の角度位置で該ネジを固定するように該本体の上に設置される該生体再吸収性材料の層と係合可能な外面を有し、該ネジは、該生体再吸収性層のうちの１つの少なくとも一部分の再吸収時に、該本体に対して角度的に移動可能である、項目５２に記載のデバイス。
（項目６８）
前記シャフト上の前記生体再吸収性材料の層の前記外面は、実質的に平滑な表面を備える、項目６７に記載のデバイス。
（項目６９）
前記シャフト上の前記生体再吸収性材料の層の前記外面は、縦方向に一定の外径を有する円柱表面を備える、項目６８に記載のデバイス。
（項目７０）
前記シャフト上の前記生体再吸収性材料の層の前記外面は、前記ヘッドに対する遠位の点におけるよりも該ヘッドに隣接する点において、より大きい外径を有する円錐表面を備える、項目６８に記載のデバイス。
（項目７１）
前記シャフト上の前記生体再吸収性材料の層の前記外面は、球面を備える、項目６８に記載のデバイス。
（項目７２）
前記シャフト上の前記生体再吸収性材料の層の前記外面に沿って延在する第２の外部らせん状ネジ山をさらに備える、項目６７に記載のデバイス。
（項目７３）
前記シャフト上の前記生体再吸収性材料の層の前記外面は、縦方向に一定の外径を有する円柱表面を備える、項目７２に記載のデバイス。
（項目７４）
前記シャフト上の前記生体再吸収性材料の層の前記外面は、前記ヘッドに対する遠位の点におけるよりも前記ヘッドに隣接する点において、より大きい外径を有する円錐表面を備える、項目７２に記載のデバイス。
（項目７５）
前記シャフト上の前記生体再吸収性材料の層の前記外面は、球面を備える、項目７２に記載のデバイス。
（項目７６）
前記シャフトの前記遠位端上に設置される切削縦溝をさらに備える、項目５２に記載のデバイス。
（項目７７）
前記ネジは、カニューレ状である、項目５２に記載のデバイス。
（項目７８）
前記シャフトの前記第２の部分は、それに沿って縦方向に延在する外部らせん状ネジ山を有する、項目６７に記載のデバイス。
（項目７９）
前記シャフトの前記第２の部分は、そこから半径方向外向きに突出する複数のリブを有する、項目６７に記載のデバイス。
（項目８０）
前記リブは、前記シャフトに沿って縦方向に延在する、項目７９に記載のデバイス。
（項目８１）
前記リブは、前記シャフトの周囲に円周方向に延在する、項目７９に記載のデバイス。
（項目８２）
前記シャフトの前記第２の部分は、その中に複数のチャネルを有する、項目６７に記載のデバイス。
（項目８３）
前記チャネルは、前記シャフトに沿って縦方向に延在する、項目８２に記載のデバイス。
（項目８４）
前記チャネルは、前記シャフトの周囲に円周方向に延在する、項目８２に記載のデバイス。
（項目８５）
前記チャネルは、前記シャフトの周囲にらせん状パターンで配設される、項目８２に記載のデバイス。
（項目８６）
前記シャフトの前記第２の部分は、きざみ付きである、項目６７に記載のデバイス。
（項目８７）
前記シャフトの前記第２の部分は、きめの粗い表面を有する、項目６７に記載のデバイス。
（項目８８）
前記きめの粗い表面は、粉末金属コーティングを備える、項目８７に記載のデバイス。
（項目８９）
前記きめの粗い表面は、サンドブラスト表面を備える、項目８７に記載のデバイス。
（項目９０）
前記シャフトの前記第２の部分は、非円形断面を有する、項目６７に記載のデバイス。
（項目９１）
前記非円形断面は、卵形である、項目９０に記載のデバイス。
（項目９２）
前記非円形断面は、多角形である、項目９０に記載のデバイス。
（項目９３）
前記シャフトの前記第２の部分は、円錐外面を有し、該円錐外面は、前記ヘッドに対する遠位の位置におけるよりも該ヘッドに隣接する位置において、より小さい直径を有する、項目６７に記載のデバイス。
（項目９４）
前記少なくとも１つの穴は、円形の周囲を有する、項目５２に記載のデバイス。
（項目９５）
前記少なくとも１つの穴は、非円形の周囲を有する、項目５２に記載のデバイス。
（項目９６）
前記少なくとも１つの穴は、卵形の周囲を有する、項目９５に記載のデバイス。
（項目９７）
前記少なくとも１つの穴は、楕円形の周囲を有する、項目９５に記載のデバイス。
（項目９８）
前記本体は、骨プレート、股関節ネジ、および髄内ロッドから成る群より選択される、項目５２に記載のデバイス。
（項目９９）
前記生体再吸収性材料は、ポリ乳酸（ＰＬＡ）、ポリ−Ｌ−乳酸−ｃｏ−グリコール酸（ＰＬＧＡ）、ポリグリコール酸を伴うか、または伴わないポリ−Ｄ／Ｌ−乳酸（ＰＤＬＬＡ、ＰＤＬＬＡ−ｃｏ−ＰＧＡ）、β−リン酸三カルシウムを伴うか、または伴わないポリ−Ｌ−乳酸（ＰＬＬＡ、ＰＬＬＡ−ＴＣＰ）、ヒドロキシアパタイトを伴うポリ−Ｌ−乳酸（ＰＬＬＡ−ＨＡ）、ポリカプロラクトン（ＰＣＬ）、ポリカプロラクトン−リン酸カルシウム（ＰＣＬ−ＣａＰ）、ポリ（Ｌ−ラクチド−ｃｏ−Ｄ、Ｌ−ラクチド）（ＰＬＡＤＬＡ）、ヒドロキシアパタイト（ＨＡ）、リン酸三カルシウム（β−ＴＣＰ）、ナノダイヤモンド粒子（ＮＤ）、およびそれらの組み合わせから成る群より選択される、項目５２に記載のデバイス。
（項目１００）
前記生体再吸収性材料は、体液と接触すると拡張する、項目５２に記載のデバイス。
（項目１０１）
前記生体再吸収性材料は、共重合体乳酸グリコール酸、生物分解性自己拡張型ポリ−Ｌ，Ｄ−ラクチド、ＰＤＬＬＡ（Ｄ−ラクチドと、Ｌ−ラクチドと、ポリ−Ｌ−ラクチドと、ポリ−ε−カプロラクトンホモポリマーと、メタクリル酸メチルおよびアクリル酸と、架橋剤メタクリル酸アリルとを含む）、ならびにそれらの組み合わせから成る群より選択される、項目１００に記載のデバイス。
（項目１０２）
前記生体再吸収性材料は、ポリ乳酸（ＰＬＡ）、ポリ−Ｌ−乳酸−ｃｏ−グリコール酸（ＰＬＧＡ）、ポリグリコール酸を伴うか、または伴わないポリ−Ｄ／Ｌ−乳酸（ＰＤＬＬＡ、ＰＤＬＬＡ−ｃｏ−ＰＧＡ）、β−リン酸三カルシウムを伴うか、または伴わないポリ−Ｌ−乳酸（ＰＬＬＡ、ＰＬＬＡ−ＴＣＰ）、ヒドロキシアパタイトを伴うポリ−Ｌ−乳酸（ＰＬＬＡ−ＨＡ）、ポリカプロラクトン（ＰＣＬ）、ポリカプロラクトン−リン酸カルシウム（ＰＣＬ−ＣａＰ）、ポリ（Ｌ−ラクチド−ｃｏ−Ｄ、Ｌ−ラクチド）（ＰＬＡＤＬＡ）、ヒドロキシアパタイト（ＨＡ）、リン酸三カルシウム（β−ＴＣＰ）、ナノダイヤモンド粒子（ＮＤ）、およびそれらの組み合わせから成る群より選択される、項目６７に記載のデバイス。
（項目１０３）
前記生体再吸収性材料は、体液と接触すると拡張する、項目６７に記載のデバイス。
（項目１０４）
前記生体再吸収性材料は、共重合体乳酸グリコール酸、生物分解性自己拡張型ポリ−Ｌ，Ｄ−ラクチド、ＰＤＬＬＡ（Ｄ−ラクチドと、Ｌ−ラクチドと、ポリ−Ｌ−ラクチドと、ポリ−ε−カプロラクトンホモポリマーと、メタクリル酸メチルおよびアクリル酸と、架橋剤メタクリル酸アリルとを含む）、ならびにそれらの組み合わせから成る群より選択される、項目Ｂ１０３５２に記載のデバイス。
（項目１０５）
前記本体は、骨接触表面と、該骨接触表面の反対側に配設される前面と、該骨接触表面と該前面との間に延在する側面とを備え、
少なくとも１つのチャネルは、該前面および該骨接触表面のうちの少なくとも１つの内側に設置され、前記穴のうちの１つから該側面まで延在する、項目５２に記載のデバイス。
（項目１０６）
前記チャネルは、凹面を備える、項目１０５に記載のデバイス。
（項目１０７）
前記チャネルは、円柱表面、円錐表面、球面、台形表面、Ｖ字形表面、およびＵ字形表面から成る群より選択される表面を有する、項目１０５に記載のデバイス。
（項目１０８）
前記チャネルは、前記側面において、前記１つの穴における該チャネルの幅よりも広い幅を有する、項目１０５に記載のデバイス。
（項目１０９）
複数の前記チャネルをさらに備え、各チャネルは、前記穴のうちの１つから前記側面まで延在する、項目５４に記載の整形外科固定デバイス。
（項目１１０）
第１の骨部分を第２の骨部分に接続する整形外科固定デバイスであって、該デバイスは、
該第１の骨部分を該第２の骨部分に連結する本体であって、該本体は、自身を通って延在する複数の穴を有する、本体と、
該本体を通って延在する該穴のうちの少なくとも１つを通して挿入可能なネジであって、該ネジは、
遠位端と、反対に配置された近位端とを有するシャフトと、
該シャフトの少なくとも第１の部分に沿って延在する外部らせん状ネジ山と、
該シャフトの該近位端に取り付けられるヘッドであって、該シャフトの該近位端と連続する表面部分を有する、ヘッドと、
該シャフトの該近位端と連続する該ヘッドの該表面部分上に設置される生体再吸収性材料の層とを備え、該生体再吸収性材料の層は、最初に該本体に対して所望の角度位置で該ネジを固定するように該本体と係合可能な外面を有し、該ネジは、該生体再吸収性層の少なくとも一部分の再吸収時に、該本体に対して角度的に移動可能である、ネジと
を備える、デバイス。
（項目１１１）
前記生体再吸収性材料の層の前記外面は、実質的に平滑な表面を備える、項目１１０に記載のデバイス。
（項目１１２）
前記生体再吸収性材料の層の前記外面は、縦方向に一定の外径を有する円柱表面を備える、項目１１１に記載のデバイス。
（項目１１３）
前記生体再吸収性材料の層の前記外面は、前記シャフトの前記近位端に対する遠位の点におけるよりも該シャフトに隣接する点において、より大きい外径を有する円錐表面を備える、項目１１１に記載のデバイス。
（項目１１４）
前記生体再吸収性材料の層の前記外面は、球面を備える、項目１１１に記載のデバイス。
（項目１１５）
前記生体再吸収性材料の層の前記外面に沿って延在する第２の外部らせん状ネジ山をさらに備える、項目１１０に記載のデバイス。
（項目１１６）
前記第１の外部ネジ山は、第１のピッチを有し、前記第２の外部ネジ山は、該第１のピッチと異なる第２のピッチを有する、項目１１５に記載のデバイス。
（項目１１７）
前記第１の外部ネジ山は、第１のピッチを有し、前記第２の外部ネジ山は、該第１のピッチと実質的に同一の第２のピッチを有する、項目１１５に記載のデバイス。
（項目１１８）
前記生体再吸収性材料の層の前記外面は、縦方向に一定の外径を有する円柱表面を備える、項目１１５に記載のデバイス。
（項目１１９）
前記生体再吸収性材料の層の前記外面は、前記シャフトの前記近位端に対する遠位の点におけるよりも該シャフトの該近位端に隣接する点において、より大きい外径を有する円錐表面を備える、項目１１５に記載のデバイス。
（項目１２０）
前記生体再吸収性材料の層の前記外面は、球面を備える、項目１１５に記載のデバイス。
（項目１２１）
前記シャフトの前記遠位端上に設置される切削縦溝をさらに備える、項目１１０に記載のデバイス。
（項目１２２）
前記ネジは、カニューレ状である、項目１１０に記載のデバイス。
（項目１２３）
前記シャフトの前記近位端と連続する前記ヘッドの前記表面部分は、それに沿って縦方向に延在する外部らせん状ネジ山を有する、項目１１０に記載のデバイス。
（項目１２４）
前記シャフトの前記近位端と連続する前記ヘッドの前記表面部分は、そこから半径方向外向きに突出する複数のリブを有する、項目１１０に記載のデバイス。
（項目１２５）
前記リブは、前記シャフトに向かって延在する、項目１２４に記載のデバイス。
（項目１２６）
前記リブは、前記シャフトの前記近位端と連続する前記ヘッドの前記表面部分の周囲に円周方向に延在する、項目１２４に記載のデバイス。
（項目１２７）
前記リブは、前記シャフトの前記近位端と連続する前記ヘッドの前記表面部分の周囲にらせん状に延在する、項目１２４に記載のデバイス。
（項目１２８）
前記シャフトの前記近位端と連続する前記ヘッドの前記表面部分は、その中に複数のチャネルを有する、項目１１０に記載のデバイス。
（項目１２９）
前記チャネルは、前記シャフトに向かって延在する、項目１２８に記載のデバイス。
（項目１３０）
前記チャネルは、前記シャフトの前記近位端と連続する前記ヘッドの前記表面部分の周囲に円周方向に延在する、項目１２８に記載のデバイス。
（項目１３１）
前記チャネルは、前記シャフトの前記近位端と連続する前記ヘッドの前記表面部分の周囲にらせん状に延在する、項目１３０に記載のデバイス。
（項目１３２）
前記シャフトの前記近位端と連続する前記ヘッドの前記表面部分は、きざみ付きである、項目１１０に記載のデバイス。
（項目１３３）
前記シャフトの前記近位端と連続する前記ヘッドの前記表面部分は、きめの粗い表面を有する、項目１１０に記載のデバイス。
（項目１３４）
前記きめの粗い表面は、粉末金属コーティングを備える、項目１３３に記載のデバイス。
（項目１３５）
前記きめの粗い表面は、サンドブラスト表面を備える、項目１３３に記載のデバイス。
（項目１３６）
前記シャフトの前記近位端と連続する前記ヘッドの前記表面部分は、非円形断面を有する、項目１１０に記載のデバイス。
（項目１３７）
前記非円形断面は、卵形である、項目１３６に記載のデバイス。
（項目１３８）
前記非円形断面は、多角形である、項目１３６に記載のデバイス。
（項目１３９）
前記シャフトの前記近位端と連続する前記ヘッドの前記表面部分は、円錐外面を有し、該円錐外面は、該シャフトの該近位端に対する遠位の位置におけるよりも該シャフトの該近位端に隣接する位置において、より小さい直径を有する、項目１１０に記載のデバイス。
（項目１４０）
前記穴のうちの少なくとも１つを包囲する皿穴表面をさらに備える、項目１１０に記載のデバイス。
（項目１４１）
前記皿穴表面は、円錐形である、項目１４０に記載のデバイス。
（項目１４２）
前記皿穴表面は、球形である、項目１４０に記載のデバイス。
（項目１４３）
前記穴のうちの少なくとも１つを包囲するアンダーカット表面をさらに備える、項目１４０に記載のデバイス。
（項目１４４）
前記アンダーカット表面は、円錐形である、項目１４３に記載のデバイス。
（項目１４５）
前記アンダーカット表面は、球形である、項目１４４に記載のデバイス。
（項目１４６）
前記穴のうちの少なくとも１つの内側に設置されるネジ山切削刃をさらに備える、項目１１１に記載のデバイス。
（項目１４７）
前記穴のうちの少なくとも１つの内側に位置する、内部らせん状ネジ山をさらに備え、前記内部らせん状ネジ山は、前記生体再吸収性材料の層の前記外面に沿って延在する、前記第２の外部らせん状ネジ山に適合する、項目１１５に記載のデバイス。
（項目１４８）
前記穴のうちの少なくとも１つは、円形の周囲を有する、項目１１０に記載のデバイス。
（項目１４９）
前記穴のうちの少なくとも１つは、非円形の周囲を有する、項目１１０に記載のデバイス。
（項目１５０）
前記少なくとも１つの穴は、卵形の周囲を有する、項目１４９に記載のデバイス。
（項目１５１）
前記少なくとも１つの穴は、楕円形の周囲を有する、項目１４９に記載のデバイス。
（項目１５２）
前記本体は、骨プレート、股関節ネジ、および髄内ロッドから成る群より選択される、項目１１０に記載のデバイス。
（項目１５３）
前記生体再吸収性材料は、ポリ乳酸（ＰＬＡ）、ポリ−Ｌ−乳酸−ｃｏ−グリコール酸（ＰＬＧＡ）、ポリグリコール酸を伴うか、または伴わないポリ−Ｄ／Ｌ−乳酸（ＰＤＬＬＡ、ＰＤＬＬＡ−ｃｏ−ＰＧＡ）、β−リン酸三カルシウムを伴うか、または伴わないポリ−Ｌ−乳酸（ＰＬＬＡ、ＰＬＬＡ−ＴＣＰ）、ヒドロキシアパタイトを伴うポリ−Ｌ−乳酸（ＰＬＬＡ−ＨＡ）、ポリカプロラクトン（ＰＣＬ）、ポリカプロラクトン−リン酸カルシウム（ＰＣＬ−ＣａＰ）、ポリ（Ｌ−ラクチド−ｃｏ−Ｄ、Ｌ−ラクチド）（ＰＬＡＤＬＡ）、ヒドロキシアパタイト（ＨＡ）、リン酸三カルシウム（β−ＴＣＰ）、ナノダイヤモンド粒子（ＮＤ）、およびそれらの組み合わせから成る群より選択される、項目１１０に記載のデバイス。
（項目１５４）
前記生体再吸収性材料は、体液と接触すると拡張する、項目１１０に記載のデバイス。
（項目１５５）
前記生体再吸収性材料は、共重合体乳酸グリコール酸、生物分解性自己拡張型ポリ−Ｌ，Ｄ−ラクチド、ＰＤＬＬＡ（Ｄ−ラクチドと、Ｌ−ラクチドと、ポリ−Ｌ−ラクチドと、ポリ−ε−カプロラクトンホモポリマーと、メタクリル酸メチルおよびアクリル酸と、架橋剤メタクリル酸アリルとを含む）、ならびにそれらの組み合わせから成る群より選択される、項目１５４に記載のデバイス。
（項目１５６）
前記本体は、骨接触表面と、該骨接触表面の反対側に配設される前面と、該骨接触表面と該前面との間に延在する側面とを備え、
少なくとも１つのチャネルは、該前面および該骨接触表面のうちの少なくとも１つの内側に設置され、前記穴のうちの１つから該側面まで延在する、項目１１０に記載のデバイス。
（項目１５７）
前記チャネルは、凹面を備える、項目１５６に記載のデバイス。
（項目１５８）
前記チャネルは、円柱表面、円錐表面、球面、台形表面、Ｖ字形表面、およびＵ字形表面から成る群より選択される表面を有する、項目１５６に記載のデバイス。
（項目１５９）
前記チャネルは、前記側面において、前記１つの穴における該チャネルの幅よりも広い幅を有する、項目１５６に記載のデバイス。
（項目１６０）
複数の前記チャネルをさらに備え、各チャネルは、前記穴のうちの１つから前記側面まで延在する、項目１５６に記載のデバイス。
（項目１６１）
第１の骨部分を第２の骨部分に接続する整形外科固定デバイスであって、該デバイスは、
該第１の骨部分を該第２の骨部分に連結する本体であって、該本体は、自身を通って延在する複数の穴を有し、生体再吸収性材料の層は、該穴のうちの少なくとも１つの内側で該本体上に設置される、本体と、
該穴のうちの少なくとも１つの穴を通して挿入可能なネジであって、該ネジは、
遠位端と、反対に配置された近位端とを有するシャフトと、
該シャフトの少なくとも第１の部分に沿って延在する外部らせん状ネジ山と、
該シャフトの該近位端に取り付けられるヘッドであって、該シャフトと連続する表面部分を有する、ヘッドと
を備え、該シャフトの該近位端と連続する該表面部分は、最初に該本体に対して所望の角度位置で該ネジを固定するように該生体再吸収性層と係合可能であり、該ネジは、該生体再吸収性層の少なくとも一部分の再吸収時に、該本体に対して角度的に移動可能である、ネジと
を備える、デバイス。
（項目１６２）
前記生体再吸収性材料の層は、前記穴を包囲する内向きに対向する表面を有する、弁輪を備える、項目１６１に記載のデバイス。
（項目１６３）
前記内向きに対向する表面は、実質的に平滑である、項目１６２に記載のデバイス。
（項目１６４）
前記シャフトは、自身の上にネジ山切削刃を有し、該ネジ山切削刃は、らせん状ネジ山を前記生体再吸収性材料の層に切削する、項目１６３に記載のデバイス。
（項目１６５）
前記内向きに対向する表面は、内部らせん状ネジ山を有する、項目１６２に記載のデバイス。
（項目１６６）
前記シャフトの前記第２の部分は、前記内向きに対向する表面上の前記内部らせん状ネジ山と適合する第２の外部らせん状ネジ山を有する、項目１６５に記載のデバイス。
（項目１６７）
前記内向きに対向する表面は、縦方向に一定の内径を有する円柱表面を備える、項目１６２に記載のデバイス。
（項目１６８）
前記内向きに対向する表面は、円錐表面を備える、項目１６２に記載のデバイス。
（項目１６９）
前記内向きに対向する表面は、球面を有する、項目１６２に記載のデバイス。
（項目１７０）
前記１つの穴を包囲する皿穴表面をさらに備える、項目１６２に記載のデバイス。
（項目１７１）
前記皿穴表面は、円錐形である、項目１７０に記載のデバイス。
（項目１７２）
前記皿穴表面は、球形である、項目１７０に記載のデバイス。
（項目１７３）
前記１つの穴を包囲するアンダーカット表面をさらに備え、該アンダーカット表面は、前記皿穴表面の反対側に設置される、項目１６２に記載のデバイス。
（項目１７４）
前記アンダーカット表面は、円錐形である、項目１７３に記載のデバイス。
（項目１７５）
前記アンダーカット表面は、球形である、項目１７３に記載のデバイス。
（項目１７６）
前記ネジは、前記シャフトの前記近位端と連続する前記表面を包囲して設置される生体再吸収性材料の層をさらに備え、前記表面部分上の該生体再吸収性材料の層は、最初に該本体に対して所望の角度位置で該ネジを固定するように該本体の上に設置される該生体再吸収性材料の層と係合可能な外面を有し、該ネジは、該表面部分および該本体の上の該生体再吸収性層のうちの１つの少なくとも一部分の再吸収時に、該本体に対して角度的に移動可能である、項目１６１に記載のデバイス。
（項目１７７）
前記表面部分上の前記生体再吸収性材料の層の前記外面は、実質的に平滑な表面を備える、項目１７６に記載のデバイス。
（項目１７８）
前記表面部分上の前記生体再吸収性材料の層の前記外面は、縦方向に一定の外径を有する円柱表面を備える、項目１７７に記載のデバイス。
（項目１７９）
前記表面部分上の前記生体再吸収性材料の層の前記外面は、前記シャフトの前記近位端に対する遠位の点におけるよりも該シャフトの該近位端に隣接する点において、より大きい外径を有する円錐表面を備える、項目１７７に記載のデバイス。
（項目１８０）
前記表面部分上の前記生体再吸収性材料の層の前記外面は、球面を備える、項目１７７に記載のデバイス。
（項目１８１）
前記表面部分上の前記生体再吸収性材料の層の前記外面に沿って延在する第２の外部らせん状ネジ山をさらに備える、項目１７６に記載のデバイス。
（項目１８２）
前記表面部分上の前記生体再吸収性材料の層の前記外面は、縦方向に一定の外径を有する円柱表面を備える、項目１８１に記載のデバイス。
（項目１８３）
前記表面部分上の前記生体再吸収性材料の層の前記外面は、前記シャフトの前記近位端に対する遠位の点におけるよりも該シャフトの該近位端に隣接する点において、より大きい外径を有する円錐表面を備える、項目１８１に記載のデバイス。
（項目１８４）
前記表面部分上の前記生体再吸収性材料の層の前記外面は、球面を備える、項目１８１に記載のデバイス。
（項目１８５）
前記シャフトの前記遠位端上に設置される切削縦溝をさらに備える、項目１６１に記載のデバイス。
（項目１８６）
前記ネジは、カニューレ状である、項目１６１に記載のデバイス。
（項目１８７）
前記シャフトと連続する前記ヘッドの前記表面部分は、自身に沿って縦方向に延在する外部らせん状ネジ山を有する、項目１７６に記載のデバイス。
（項目１８８）
前記シャフトと連続する前記ヘッドの前記表面部分は、自身から半径方向外向きに突出する複数のリブを有する、項目１７６に記載のデバイス。
（項目１８９）
前記リブは、前記シャフトに向かって延在する、項目１８８に記載のデバイス。
（項目１９０）
前記リブは、前記シャフトと連続する前記ヘッドの前記表面部分の周囲に円周方向に延在する、項目１８８に記載のデバイス。
（項目１９１）
前記シャフトと連続する前記ヘッドの前記表面部分は、自身の中に複数のチャネルを有する、項目１７６に記載のデバイス。
（項目１９２）
前記チャネルは、前記シャフトに向かって延在する、項目１９１に記載のデバイス。
（項目１９３）
前記チャネルは、前記シャフトと連続する前記ヘッドの前記表面部分の周囲に円周方向に延在する、項目１９１に記載のデバイス。
（項目１９４）
前記チャネルは、前記シャフトと連続する前記ヘッドの前記表面部分の周囲にらせん状パターンで配設される、項目１９１に記載のデバイス。
（項目１９５）
前記シャフトと連続する前記ヘッドの前記表面部分は、きざみ付きである、項目１７６に記載のデバイス。
（項目１９６）
前記きざみ付けは、ダイヤモンド形状である、項目１９５に記載のデバイス。
（項目１９７）
前記シャフトと連続する前記ヘッドの前記表面部分は、きめの粗い表面を有する、項目１７６に記載のデバイス。
（項目１９８）
前記きめの粗い表面は、粉末金属コーティングを備える、項目１９７に記載のデバイス。
（項目１９９）
前記きめの粗い表面は、サンドブラスト表面を備える、項目１９７に記載のデバイス。
（項目２００）
前記シャフトと連続する前記ヘッドの前記表面部分は、非円形断面を有する、項目１７６に記載のデバイス。
（項目２０１）
前記非円形断面は、卵形である、項目２００に記載のデバイス。
（項目２０２）
前記非円形断面は、多角形である、項目２００に記載のデバイス。
（項目２０３）
前記シャフトと連続する前記ヘッドの前記第２の表面部分は、円錐外面を有し、該円錐外面は、該シャフトの前記近位端に対する遠位の位置におけるよりも該シャフトの該近位端に隣接する位置において、より小さい直径を有する、項目１７６に記載のデバイス。
（項目２０４）
前記穴のうちの少なくとも１つは、円形の周囲を有する、項目１６１に記載のデバイス。
（項目２０５）
前記穴のうちの少なくとも１つは、非円形の周囲を有する、項目１６１に記載のデバイス。
（項目２０６）
前記少なくとも１つの穴は、卵形の周囲を有する、項目２０５に記載のデバイス。
（項目２０７）
前記少なくとも１つの穴は、楕円形の周囲を有する、項目２０５に記載のデバイス。
（項目２０８）
前記本体は、骨プレート、股関節ネジ、および髄内ロッドから成る群より選択される、項目１６１に記載のデバイス。
（項目２０９）
前記生体再吸収性材料は、ポリ乳酸（ＰＬＡ）、ポリ−Ｌ−乳酸−ｃｏ−グリコール酸（ＰＬＧＡ）、ポリグリコール酸を伴うか、または伴わないポリ−Ｄ／Ｌ−乳酸（ＰＤＬＬＡ、ＰＤＬＬＡ−ｃｏ−ＰＧＡ）、β−リン酸三カルシウムを伴うか、または伴わないポリ−Ｌ−乳酸（ＰＬＬＡ、ＰＬＬＡ−ＴＣＰ）、ヒドロキシアパタイトを伴うポリ−Ｌ−乳酸（ＰＬＬＡ−ＨＡ）、ポリカプロラクトン（ＰＣＬ）、ポリカプロラクトン−リン酸カルシウム（ＰＣＬ−ＣａＰ）、ポリ（Ｌ−ラクチド−ｃｏ−Ｄ、Ｌ−ラクチド）（ＰＬＡＤＬＡ）、ヒドロキシアパタイト（ＨＡ）、リン酸三カルシウム（β−ＴＣＰ）、ナノダイヤモンド粒子（ＮＤ）、およびそれらの組み合わせから成る群より選択される、項目１６１に記載のデバイス。
（項目２１０）
前記生体再吸収性材料は、体液と接触すると拡張する、項目１６１に記載のデバイス。
（項目２１１）
前記生体再吸収性材料は、共重合体乳酸グリコール酸、生物分解性自己拡張型ポリ−Ｌ，Ｄ−ラクチド、ＰＤＬＬＡ（Ｄ−ラクチドと、Ｌ−ラクチドと、ポリ−Ｌ−ラクチドと、ポリ−ε−カプロラクトンホモポリマーと、メタクリル酸メチルおよびアクリル酸と、架橋剤メタクリル酸アリルとを含む）、ならびにそれらの組み合わせから成る群より選択される、項目２１０に記載のデバイス。
（項目２１２）
前記生体再吸収性材料は、ポリ乳酸（ＰＬＡ）、ポリ−Ｌ−乳酸−ｃｏ−グリコール酸（ＰＬＧＡ）、ポリグリコール酸を伴うか、または伴わないポリ−Ｄ／Ｌ−乳酸（ＰＤＬＬＡ、ＰＤＬＬＡ−ｃｏ−ＰＧＡ）、β−リン酸三カルシウムを伴うか、または伴わないポリ−Ｌ−乳酸（ＰＬＬＡ、ＰＬＬＡ−ＴＣＰ）、ヒドロキシアパタイトを伴うポリ−Ｌ−乳酸（ＰＬＬＡ−ＨＡ）、ポリカプロラクトン（ＰＣＬ）、ポリカプロラクトン−リン酸カルシウム（ＰＣＬ−ＣａＰ）、ポリ（Ｌ−ラクチド−ｃｏ−Ｄ、Ｌ−ラクチド）（ＰＬＡＤＬＡ）、ヒドロキシアパタイト（ＨＡ）、リン酸三カルシウム（β−ＴＣＰ）、ナノダイヤモンド粒子（ＮＤ）、およびそれらの組み合わせから成る群より選択される、項目１７６に記載のデバイス。
（項目２１３）
前記生体再吸収性材料は、体液と接触すると拡張する、項目１７６に記載のデバイス。
（項目２１４）
前記生体再吸収性材料は、共重合体乳酸グリコール酸、生物分解性自己拡張型ポリ−Ｌ，Ｄ−ラクチド、ＰＤＬＬＡ（Ｄ−ラクチドと、Ｌ−ラクチドと、ポリ−Ｌ−ラクチドと、ポリ−ε−カプロラクトンホモポリマーと、メタクリル酸メチルおよびアクリル酸と、架橋剤メタクリル酸アリルとを含む）、ならびにそれらの組み合わせから成る群より選択される、項目２１３に記載のデバイス。
（項目２１５）
前記本体は、骨接触表面と、該骨接触表面の反対側に配設される前面と、該骨接触表面と該前面との間に延在する側面とを備え、
少なくとも１つのチャネルが、該前面および該骨接触表面のうちの少なくとも１つの内側に設置され、前記穴のうちの１つから該側面まで延在する、項目１６１に記載のデバイス。
（項目２１６）
前記チャネルは、凹状である、項目２１５に記載のデバイス。
（項目２１７）
前記チャネルは、円柱表面、円錐表面、球面、台形表面、Ｖ字形表面、およびＵ字形表面から成る群より選択される表面を有する、項目２１５に記載のデバイス。
（項目２１８）
前記チャネルは、前記側面において、前記１つの穴における該チャネルの幅よりも広い幅を有する、項目２１５に記載のデバイス。
（項目２１９）
複数の前記チャネルをさらに備え、各チャネルは、前記穴のうちの１つから前記側面まで延在する、項目２１５に記載のデバイス。
（項目２２０）
第１の骨部分を第２の骨部分に接続する整形外科固定デバイスであって、該デバイスは、
該第１の骨部分を該第２の骨部分に連結する本体であって、該本体は、自身を通って延在する複数の穴を有する、本体と、
該本体を通って延在する該穴のうちの少なくとも１つを通して挿入可能なピンであって、該ピンは、
遠位端と、反対に配置された近位端とを有するシャフトと、
該シャフトの該近位端に取り付けられるヘッドと、
該シャフトの一部分を包囲して設置される生体再吸収性材料の層と
を備える、ピンとを備え、該生体再吸収性材料の層は、最初に該本体に対して所望の角度位置で該ネジを固定するように該本体と係合可能である外面を有し、該ピンは、該生体再吸収性層の少なくとも一部分の再吸収時に、該本体に対して角度的に移動可能である、デバイス。
（項目２２１）
前記生体再吸収性材料の層の前記外面は、実質的に平滑な表面を備える、項目２２０に記載のデバイス。
（項目２２２）
前記生体再吸収性材料の層の前記外面は、縦方向に一定の外径を有する円柱表面を備える、項目２２１に記載のデバイス。
（項目２２３）
前記生体再吸収性材料の層の前記外面は、前記ヘッドに対する遠位の点におけるよりも該ヘッドに隣接する点において、より大きい外径を有する円錐表面を備える、項目２２１に記載のデバイス。
（項目２２４）
前記生体再吸収性材料の層の前記外面は、球面を備える、項目２２１に記載のデバイス。
（項目２２５）
前記生体再吸収性材料の層の前記外面に沿って延在する外部らせん状ネジ山をさらに備える、項目２２０に記載のデバイス。
（項目２２６）
前記生体再吸収性材料の層の前記外面は、縦方向に一定の外径を有する円柱表面を備える、項目２２５に記載のデバイス。
（項目２２７）
前記生体再吸収性材料の層の前記外面は、前記ヘッドに対する遠位の点におけるよりも該ヘッドに隣接する点において、より大きい外径を有する円錐表面を備える、項目２２５に記載のデバイス。
（項目２２８）
前記生体再吸収性材料の層の前記外面は、球面を備える、項目２２５に記載のデバイス。
（項目２２９）
前記生体再吸収性層は、前記ヘッドに隣接して位置する、項目２２０に記載のデバイス。
（項目２３０）
前記シャフトの前記部分は、自身に沿って縦方向に延在する外部らせん状ネジ山を有する、項目２２０に記載のデバイス。
（項目２３１）
前記シャフトの前記部分は、自身から半径方向外向きに突出する複数のリブを有する、項目２２０に記載のデバイス。
（項目２３２）
前記リブは、前記シャフトに沿って縦方向に延在する、項目２３１に記載のデバイス。
（項目２３３）
前記リブは、前記シャフトの周囲に円周方向に延在する、項目２３１に記載のデバイス。
（項目２３４）
前記シャフトの前記部分は、自身の中に複数のチャネルを有する、項目２２０に記載のデバイス。
（項目２３５）
前記チャネルは、前記シャフトに沿って縦方向に延在する、項目２３４に記載のデバイス。
（項目２３６）
前記チャネルは、前記シャフトの周囲に円周方向に延在する、項目２３４に記載のデバイス。
（項目２３７）
前記チャネルは、前記シャフトの周囲にらせん状パターンで配設される、項目２３６に記載のデバイス。
（項目２３８）
前記シャフトの前記部分は、きざみ付きである、項目２２０に記載のデバイス。
（項目２３９）
前記シャフトの前記部分は、きめの粗い表面を有する、項目２２０に記載のデバイス。
（項目２４０）
前記きめの粗い表面は、粉末金属コーティングを備える、項目２３９に記載のデバイス。
（項目２４１）
前記きめの粗い表面は、サンドブラスト表面を備える、項目２３９に記載のデバイス。
（項目２４２）
前記シャフトの前記部分は、非円形断面を有する、項目２２０に記載のデバイス。
（項目２４３）
前記非円形断面は、卵形である、項目２４２に記載のデバイス。
（項目２４４）
前記非円形断面は、多角形である、項目２４２に記載のデバイス。
（項目２４５）
前記シャフトの前記部分は、円錐外面を有し、該円錐外面は、前記ヘッドに対する遠位の位置におけるよりも該ヘッドに隣接する位置において、より小さい直径を有する、項目２２０に記載のデバイス。
（項目２４６）
第１の骨部分を第２の骨部分に接続する整形外科固定デバイスであって、該デバイスは、
該第１の骨部分を該第２の骨部分に連結する本体であって、該本体は、自身を通って延在する複数の穴を有する、本体と、
該本体を通って延在する該穴のうちの少なくとも１つを通して挿入可能であるピンであって、該ピンは、
遠位端と、反対に配置された近位端とを有するシャフトと、
該シャフトの該近位端に取り付けられるヘッドであって、該シャフトの該近位端と連続する表面部分を有する、ヘッドと、
該シャフトの該近位端と連続する該ヘッドの該表面部分上に設置される生体再吸収性材料の層と
を備え、該生体再吸収性材料の層は、最初に該本体に対して所望の角度位置で該ネジを固定するように該本体と係合可能である外面を有し、該ピンは、該生体再吸収性層の少なくとも一部分の再吸収時に、該本体に対して角度的に移動可能である、ピンと
を備える、デバイス。
（項目２４７）
前記生体再吸収性材料の層の前記外面は、実質的に平滑な表面を備える、項目２４６に記載のデバイス。
（項目２４８）
前記生体再吸収性材料の層の前記外面は、縦方向に一定の外径を有する円柱表面を備える、項目２４７に記載のデバイス。
（項目２４９）
前記生体再吸収性材料の層の前記外面は、前記シャフトの前記近位端に対する遠位の点におけるよりも該シャフトの該近位端に隣接する点において、より大きい外径を有する円錐表面を備える、項目２４６に記載のデバイス。
（項目２５０）
前記生体再吸収性材料の層の前記外面は、球面を備える、項目２４７に記載のデバイス。
（項目２５１）
前記生体再吸収性材料の層の前記外面に沿って延在する外部らせん状ネジ山をさらに備える、項目２４６に記載のデバイス。
（項目２５２）
前記生体再吸収性材料の層の前記外面は、縦方向に一定の外径を有する円柱表面を備える、項目２５１に記載のデバイス。
（項目２５３）
前記生体再吸収性材料の層の前記外面は、前記シャフトの前記近位端に対する遠位の点におけるよりも該シャフトの該近位端に隣接する点において、より大きい外径を有する円錐表面を備える、項目２５１に記載のデバイス。
（項目２５４）
前記生体再吸収性材料の層の前記外面は、球面を備える、項目２５１に記載のデバイス。
（項目２５５）
前記ピンは、カニューレ状である、項目２４６に記載のデバイス。
（項目２５６）
前記シャフトの前記近位端と連続する前記ヘッドの前記表面部分は、自身に沿って縦方向に延在する外部らせん状ネジ山を有する、項目２４６に記載のデバイス。
（項目２５７）
前記シャフトの前記近位端と連続する前記ヘッドの前記表面部分は、自身から半径方向外向きに突出する複数のリブを有する、項目２４６に記載のデバイス。
（項目２５８）
前記リブは、前記シャフトに向かって延在する、項目２５７に記載のデバイス。
（項目２５９）
前記リブは、前記シャフトの前記近位端と連続する前記ヘッドの前記表面部分の周囲に円周方向に延在する、項目２５７に記載のデバイス。
（項目２６０）
前記シャフトの前記近位端と連続する前記ヘッドの前記表面部分は、自身の中に複数のチャネルを有する、項目２４６に記載のデバイス。
（項目２６１）
前記チャネルは、前記シャフトに向かって延在する、項目２６０に記載のデバイス。
（項目２６２）
前記チャネルは、前記シャフトの前記近位端と連続する前記ヘッドの前記表面部分の周囲に円周方向に延在する、項目２６０に記載のデバイス。
（項目２６３）
前記チャネルは、前記シャフトの前記近位端と連続する前記ヘッドの前記表面部分の周囲にらせん状パターンで配設される、項目２６２に記載のデバイス。
（項目２６４）
前記シャフトの前記近位端と連続する前記ヘッドの前記表面部分は、きざみ付きである、項目２４６に記載のデバイス。
（項目２６５）
前記シャフトの前記近位端と連続する前記ヘッドの前記表面部分は、きめの粗い表面を有する、項目２４６に記載のデバイス。
（項目２６６）
前記きめの粗い表面は、粉末金属コーティングを備える、項目２６５に記載のデバイス。
（項目２６７）
前記きめの粗い表面は、サンドブラスト表面を備える、項目２６５に記載のデバイス。
（項目２６８）
前記シャフトの前記近位端と連続する前記ヘッドの前記表面部分は、非円形断面を有する、項目２４６に記載のデバイス。
（項目２６９）
前記非円形断面は、卵形である、項目２６８に記載のデバイス。
（項目２７０）
前記非円形断面は、多角形である、項目２６８に記載のデバイス。
（項目２７１）
前記シャフトの前記近位端と連続する前記ヘッドの前記表面部分は、円錐外面を有し、該円錐外面は、該シャフトの該近位端に対して遠位の位置よりも、該シャフトの該近位端に隣接する位置において、より小さい直径を有する、項目２４６に記載のデバイス。
（項目２７２）
複数の骨片を有する生体の骨折を治療する方法であって、該方法は、
本体を該骨片に接合する複数の締結具を使用して、該本体を該骨片のうちの２つに取り付けることと、
該締結具と該本体との間に設置される生体再吸収性材料を使用して、該本体と関連する該締結具のうちの少なくとも１つの角度配向を固定することであって、該生体再吸収性材料は、該１つの締結具を該本体に接触させ、その間の相対的回転を防止する、ことと、
該生体再吸収性材料が該生体によって再吸収されることを可能にし、それによって、該１つの締結具と該本体との間の相対的回転を可能にすることと
を含む、方法。
（項目２７３）
ネジ締結具を使用して、前記本体を前記骨片に取り付けることを含む、項目２７２に記載の方法。
（項目２７４）
ピン締結具を使用して、前記本体を前記骨片に取り付けることを含む、項目２７２に記載の方法。
（項目２７５）
前記生体再吸収性材料は、前記締結具の上に設置される、項目２７２に記載の方法。
（項目２７６）
前記生体再吸収性材料を前記本体と螺合して係合することをさらに含む、項目２７５に記載の方法。
（項目２７７）
前記生体再吸収性材料は、前記本体上に設置される、項目２７２に記載の方法。
（項目２７８）
前記生体再吸収性材料を前記締結具と螺合して係合することをさらに含む、項目２７７に記載の方法。
（項目２７９）
前記生体再吸収性材料は、前記本体および前記締結具の上に設置される、項目２７２に記載の方法。
（項目２８０）
前記締結具上の前記生体再吸収性材料を、前記本体上の前記生体再吸収性材料と螺合して係合することをさらに含む、項目２７９に記載の方法。
（項目２８１）
前記本体は、骨プレート、股関節ネジ、および髄内ロッドから成る群より選択される、項目２７２に記載の方法。
（項目２８２）
第１の骨部分を第２の骨部分に接続する整形外科固定デバイスであって、該デバイスは、
本体であって、該本体は、骨接触表面と、該骨接触表面の反対側に配設される前面と、該骨接触表面と該前面との間に延在する側面とを備える、本体と、
少なくとも１つのチャネルであって、該少なくとも１つのチャネルは、該前面および該骨接触表面のうちの少なくとも１つの内側に設置され、穴のうちの１つから該側面まで延在する、少なくとも１つのチャネルと
を備える、デバイス。
（項目２８３）
前記チャネルは、凹面を備える、項目２８２に記載の整形外科固定デバイス。
（項目２８４）
前記チャネルは、円柱表面を備える、項目２８２に記載の整形外科固定デバイス。
（項目２８５）
前記チャネルは、円錐表面を備える、項目２８２に記載の整形外科固定デバイス。
（項目２８６）
前記チャネルは、球面を備える、項目２８２に記載の整形外科固定デバイス。
（項目２８７）
前記チャネルは、前記側面において、前記１つの穴における該チャネルの幅よりも広い幅を有する、項目２８２に記載の整形外科固定デバイス。
（項目２８８）
複数の前記チャネルをさらに備え、各チャネルは、前記穴のうちの１つから前記側面まで延在する、項目２８２に記載の整形外科固定デバイス。
（項目２８９）
前記本体は、骨プレートを備える、項目２８２に記載の整形外科固定デバイス。
（項目２９０）
前記本体は、股関節ネジを備える、項目２８２に記載の整形外科固定デバイス。
（項目２９１）
前記穴のうちの少なくとも１つの内側で前記本体上に設置される生体再吸収性材料の層をさらに備える、項目２８２に記載の整形外科固定デバイス。
（項目２９２）
前記１つの穴を通して挿入可能な締結具をさらに備える、項目２９１に記載の整形外科固定デバイス。
（項目２９３）
前記締結具は、自身の上に生体再吸収性材料の層を有するシャフトを備える、項目２９２に記載の整形外科固定デバイス。
（項目２９４）
前記締結具は、自身の上に生体再吸収性材料の層を有するヘッドを備える、項目２９２に記載の整形外科固定デバイス。
（項目２９５）
前記締結具は、骨ネジを備える、項目２９２に記載の整形外科固定デバイス。
（項目２９６）
前記締結具は、ピンを備える、項目２９２に記載の整形外科固定デバイス。
（項目２９７）
前記穴のうちの１つを通して挿入可能な締結具をさらに備える、項目２８２に記載の整形外科固定デバイス。
（項目２９８）
前記締結具は、自身の上に生体再吸収性材料の層を有するシャフトを備える、項目２９７に記載の整形外科固定デバイス。
（項目２９９）
前記締結具は、自身の上に生体再吸収性材料の層を有するヘッドを備える、項目２９７に記載の整形外科固定デバイス。
（項目３００）
前記締結具は、骨ネジを備える、項目２９７に記載の整形外科固定デバイス。
（項目３０１）
前記締結具は、ピンを備える、項目２９７に記載の整形外科固定デバイス。
（項目３０２）
第１の骨を第２の骨に接続する整形外科固定デバイスであって、該デバイスは、
本体であって、骨対向表面と、該骨対向表面の反対側に配設される前面と、該骨対向表面と該前面との間の該本体を通って延在する複数の穴とを有する、本体と、
複数の突出部であって、該骨対向表面上に設置され、それから離れるように外向きに延在する、複数の突出部と
を備える、デバイス。
（項目３０３）
前記本体は、骨プレートを備える、項目３０２に記載の整形外科固定デバイス。
（項目３０４）
前記本体は、股関節ネジを備える、項目３０２に記載の整形外科固定デバイス。
（項目３０５）
前記穴のうちの少なくとも１つの内側で前記本体上に設置される生体再吸収性材料の層をさらに備える、項目３０２に記載の整形外科固定デバイス。
（項目３０６）
前記１つの穴を通して挿入可能な締結具をさらに備える、項目３０５に記載の整形外科固定デバイス。
（項目３０７）
前記締結具は、自身の上に生体再吸収性材料の層を有するシャフトを備える、項目３０６に記載の整形外科固定デバイス。
（項目３０８）
前記締結具は、自身の上に生体再吸収性材料の層を有するヘッドを備える、項目３０６に記載の整形外科固定デバイス。
（項目３０９）
前記締結具は、骨ネジを備える、項目３０６に記載の整形外科固定デバイス。
（項目３１０）
前記締結具は、ピンを備える、項目３０６に記載の整形外科固定デバイス。
（項目３１１）
前記穴のうちの１つを通して挿入可能な締結具をさらに備える、項目３０２に記載の整形外科固定デバイス。
（項目３１２）
前記締結具は、自身の上に生体再吸収性材料の層を有するシャフトを備える、項目３１１に記載の整形外科固定デバイス。
（項目３１３）
前記締結具は、自身の上に生体再吸収性材料の層を有するヘッドを備える、項目３１１に記載の整形外科固定デバイス。
（項目３１４）
前記締結具は、骨ネジを備える、項目３１１に記載の整形外科固定デバイス。
（項目３１５）
前記締結具は、ピンを備える、項目３１１に記載の整形外科固定デバイス。